(57)【要約】【課題】引き剥がし易いテープを提供する。【解決手段】材質が延伸ポリプロピレンフィルム（ＯＰＰ）又はポリエステルフィルム（ＰＥＴ）である基材に接着層が重ね合わされてなるテープ体１０と、当該テープ体１０の長手方向に沿ってテープ体１０に設けられた帯状引き裂き部１１とを備えている。本考案は、延伸ポリプロピレンフィルム又はポリエステルフィルムの材質及び帯状引き裂き部の設計構造を組み合わせることにより、別途道具やツールを使用することなく、テープを簡単に引き剥がすことができるため、テープの使用の利便性を効果的に改善することができる。【選択図】図１Ａ
0003155872.tif 000002
【実用新案登録請求の範囲】
【請求項１】
材質が延伸ポリプロピレンフィルム（Ｏｒｉｅｎｔｅｄ  Ｐｏｌｙｐｒｏｐｙｌｅｎｅ  、ＯＰＰ）又はポリエステルフィルム（Ｐｏｌｙｅｔｈｙｌｅｎｅ  ｔｅｒｅｐｈｔｈａｌｅｔｅ、ＰＥＴ）である基材に接着層が重ね合わされてなるテープ体と、
前記テープ体の長手方向に沿って前記テープ体に設けられた帯状引き裂き部と、
を備えていることを特徴とする引き剥がし易いテープ。
【請求項２】
前記帯状引き裂き部が、前記テープ体の二つの長辺以外の箇所に設けられていることを特徴とする請求項１に記載の引き剥がし易いテープ。
【請求項３】
前記帯状引き裂き部が、前記テープ体の少なくとも一方の長辺に設けられていることを特徴とする請求項１に記載の引き剥がし易いテープ。
【請求項４】
前記帯状引き裂き部が、連続する又は連続しないパターン部により構成されていることを特徴とする請求項１に記載の引き剥がし易いテープ。
【請求項５】
前記パターン部が、前記テープ体を貫通し又は貫通しないことを特徴とする請求項４に記載の引き剥がし易いテープ。
【請求項６】
前記パターン部のパターンが、直線、横線、折り線、波線、鋸歯線、半円弧、円形、三角形、矩形、菱形、及びその他の不規則パターンからなる群のいずれかから選択されてなるものであることを特徴とする請求項４に記載の引き剥がし易いテープ。
【請求項７】
前記接着層の幅が、前記基材の幅より小さいことを特徴とする請求項１に記載の引き剥がし易いテープ。
【請求項８】
前記接着層が、前記基材の中間部分に設けられていることを特徴とする請求項７に記載の引き剥がし易いテープ。
【請求項９】
前記基材が、接着層でない側に設けられた離型層をさらに備えていることを特徴とする請求項１に記載の引き剥がし易いテープ。
【請求項１０】
円筒体をさらに備え、前記円筒体の外周に前記テープ体が巻回されていることを特徴とする請求項１に記載の引き剥がし易いテープ。
【考案の詳細な説明】
【技術分野】
【０００１】
本考案は、引き剥がし易いテープに関し、特にテープを指で切り取ることができる引き剥がし易いテープに関するものである。
【背景技術】
【０００２】
接着テープ（ａｄｈｅｓｉｖｅ  ｔａｐｅ）は、物を密封し又は接着により固定するために用いられている。テープは一般に円筒体状のテープリールに巻回され、使用の場合には、最外層のテープを当該テープの切断端から引き剥がして所定の長さだけ引き上げてから、所要の長さのテープを鋏又はナイフにより切り取り、使用したい箇所に貼り付ける。同様に、当該テープによる固定効果を解除する（例えば物品の包装を解く）場合には、当該テープを鋏又はナイフにより分断し又は切断しなければならない。このようなテープは、使用者が鋏又はナイフのような鋭利な道具を携帯しなければならないため、使用に手間がかかる。しかも、このような道具の先端によって傷つくことを回避するために、これらの道具を別の容器に収容することが必要であり、使用者にとっては不便である。また、テープによる固定効果を解除する（例えば物品の包装を解く）際に、テープの使用者が鋏又はナイフを携帯していない場合、このような道具を探したり借りたりしなければならないため、使用者にとっては極めて不便である。すなわち、テープの使用時には別の道具を使わなければならないため、使用上極めて不便である。
【考案の概要】
【考案が解決しようとする課題】
【０００３】
従って、使用上別の道具を使用しなければならないために、実用性や利便性が低下するという背景技術における問題を回避することは、解決すべき極めて重要な課題となっている。
【０００４】
そこで、上述の欠点に鑑み、本考案は、使用上便利な引き剥がし易いテープを提供することを目的とする。
【課題を解決するための手段】
【０００５】
本考案に係る引き剥がし易いテープは、材質が延伸ポリプロピレンフィルム（Ｏｒｉｅｎｔｅｄ  Ｐｏｌｙｐｒｏｐｙｌｅｎｅ、ＯＰＰ）又はポリエステルフィルム（Ｐｏｌｙｅｔｈｙｌｅｎｅ  ｔｅｒｅｐｈｔｈａｌｅｔｅ、ＰＥＴ）である基材に接着層が重ね合わされてなるテープ体と、当該テープ体の長手方向に沿って当該テープ体に設けられた帯状引き裂き部とを備えている。
【０００６】
上記の引き剥がし易いテープによれば、帯状引き裂き部は、テープ体の二つの長辺以外の箇所に設けられてもよく、又はテープ体の少なくとも一方の長辺に設けられてもよい。
【０００７】
上記の構造によれば、帯状引き裂き部は、連続する又は連続しないパターン部により構成されている。
【０００８】
また、上記の引き剥がし易いテープによれば、パターン部は、テープ体を貫通しても貫通しなくてもよい。パターン部のパターンは、直線、横線、折り線、波線、鋸歯線、半円弧、円形、三角形、矩形、菱形、及びその他の不規則パターンからなる群のいずれかから選択されてなるものである。
【０００９】
また、上記の構造によれば、接着層の幅は、基材の幅より小さくてもよく、接着層は基材の中間部分に設けられてもよい。
【００１０】
上記の引き剥がし易いテープによれば、基材は離型層をさらに備えている。
【００１１】
上記の構造に対して、円筒体をさらに備えてもよい。当該円筒体の外周には前記テープ体が巻回されている。
【考案の効果】
【００１２】
上述のように、本考案に係る引き剥がし易いテープは、材質が延伸ポリプロピレンフィルム（ＯＰＰ）又はポリエステルフィルム（ＰＥＴ）からなり、帯状引き裂き部と組み合わせて用いることで、帯状引き裂き部自体の脆い構造と、基材の延伸ポリプロピレンフィルム又はポリエステルフィルムの材質特性とにより、ある箇所に引き裂き部が形成された場合、これらの材質特性でこの引き裂き部が全体構造に対して脆弱部分となるため、僅かな外力を加えるだけで、この引き裂き部に沿って両側に引き裂くことができる（例えば、米国特許第４８５１０６４号参照）。すなわち、帯状引き裂き部のいかなる箇所に対しても、指又は携帯している鋭利でない物により力を加えるだけで、引き剥がし易いテープを引き裂き部より外部へ引き裂いて切断することができ、それによってテープ使用者に極めて大きな利便性を提供するとともに、テープによる物品の固定やテープによる固定効果の解除に必要な時間を効果的に節約することができる。
【図面の簡単な説明】
【００１３】
【図１Ａ】本考案に係る引き剥がし易いテープの第１の実施例の構造を模式的に示した上面図である。
【図１Ｂ】図１Ａの切断線ＡＡでの断面図である。
【図１Ｃ】図１Ｂのその他の態様である。
【図１Ｄ】図１Ｂのその他の態様である。
【図１Ｅ】図１Ｂのその他の態様である。
【図１Ｆ】図１Ｂのその他の態様である。
【図１Ｇ】図１Ｂのその他の態様である。
【図１Ｈ】図１Ｂのその他の態様である。
【図１Ｉ】本考案に係る引き剥がし易いテープの他の態様の側面図である。
【図２Ａ】本考案に係る引き剥がし易いテープの第２の実施例の構造を模式的に示した上面図である。
【図２Ｂ】図２Ａのその他の態様である。
【図２Ｃ】図２Ａのその他の態様である。
【図２Ｄ】図２Ａのその他の態様である。
【図２Ｅ】図２Ａのその他の態様である。
【図２Ｆ】図２Ａのその他の態様である。
【図３Ａ】本考案に係る引き剥がし易いテープの第３の実施例の構造を模式的に示した上面図である。
【図３Ｂ】図３Ａのその他の態様である。
【図３Ｃ】図３Ａのその他の態様である。
【図３Ｄ】図３Ａのその他の態様である。
【図４Ａ】本考案に係る引き剥がし易いテープの第４の実施例の構造を模式的に示した上面図である。
【図４Ｂ】図４Ａのその他の態様である。
【図４Ｃ】図４Ａのその他の態様である。
【考案を実施するための形態】
【００１４】
以下、本考案を具体的な実施の形態に基づいてさらに詳細に説明するが、本考案は、これらの実施の形態に限定されるものではない。この技術に習熟した者は、本明細書に記載の内容によって簡単に本考案のその他の利点や効果を理解できる。ここで、本考案の実際に実施される場合の数、形状及びサイズなどは、選択性を有する設計事項であり、その実際の設計事項が必要に応じて変更できることはいうまでもない。
（第１の実施例）
【００１５】
図１Ａないし図１Iは、本考案に係る引き剥がし易いテープの第１の実施例の構造を模式的に示した図である。図１Ａは上面図であり、図１Ｂは図１Ａにおける切断線ＡＡでの断面図であり、図１Ｃないし図１Ｈは図１Ｂのその他の各種の態様であり、図１Ｉは本考案に係る引き剥がし易いテープの他の態様の全体の側面図である。
【００１６】
図１Ａないし図１Ｉに示すように、本考案に係る引き剥がし易いテープは、材質が延伸ポリプロピレンフィルム（ＯＰＰ）又はポリエステルフィルム（ＰＥＴ）である基材１０１に接着層１０２が重ね合わされてなるテープ体１０と、当該テープ体１０の長手方向に沿って当該テープ体１０に設けられた帯状引き裂き部１１とを備えている。
【００１７】
図１Ａに示すように、帯状引き裂き部１１は、テープ体１０の二つの長辺以外の箇所に設けられ、かつテープ体１０の略中間位置に設けられている。帯状引き裂き部１１は少なくとも連続しないパターン部１１１により構成されている。当該パターン部１１１のパターンは直線である。
【００１８】
図１Ｂないし図１Ｇは、図１Ａにおける切断線ＡＡでの断面図のその他の態様である。図１Ｂに示すように、基材１０１と接着層１０２とは幅が同一であり、かつパターン部１１１はテープ体１０を貫通している。図１Ｃに示すように、基材１０１と接着層１０２とは幅が同一であり、かつパターン部１１１は基材１０１を貫通するが、接着層１０２には食い込んでいない。図１Ｄに示すように、基材１０１と接着層１０２とは幅が同一であり、かつパターン部１１１が基材１０１を貫通し、一部が接着層１０２に食い込んでいる。図１Ｅに示すように、基材１０１と接着層１０２とは幅が同一であり、かつパターン部１１１は接着層１０２を貫通し、一部が基材１０１に食い込んでいる。図１Ｆに示すように、接着層１０２の幅は基材１０１の幅よりも小さく、かつパターン部１１１はテープ体１０を貫通している。図１Ｇに示すように、接着層１０２の幅は基材１０１の幅よりも小さく、かつパターン部１１１は基材１０１を貫通するが、接着層１０２には食い込んでいない。
【００１９】
上述の構造において、図１Ｈに示すように、基材１０１は接着層１０２でない側に設けられた離型層１０１ａをさらに備えてもよい。離型層１０１ａは接着層１０２と接着しないため、接着層１０２がテープ体１０の他面に接着することを防止できる（例えば、テープ体１０を巻き付ける場合）。
【００２０】
本考案に係る引き剥がし易いテープは、図１Ｉに示すように、円筒体２０をさらに備え、当該円筒体２０の外周にテープ体１０が巻回されてもよい。
（第２の実施例）
【００２１】
図２Ａないし図２Ｆは、本考案に係る引き剥がし易いテープの第２の実施例の構造を模式的に示した図である。図２Ａは上面図であり、図２Ｂないし図２Ｆは図２Ａのその他の各種の態様である。
【００２２】
図２Ａないし図２Ｆに示すように、本考案に係る引き剥がし易いテープは、テープ体１０と、当該テープ体１０の長手方向に沿ってテープ体１０に設けられた帯状引き裂き部１１とを備え、当該帯状引き裂き部１１はテープ体１０の二つの長辺以外の箇所に設けられ、かつテープ体１０の略中間位置に設けられている。帯状引き裂き部１１は少なくとも連続しないパターン部１１１により構成されている。
【００２３】
図２Ａに示すように、パターン部１１１のパターンは２つの形状が対向した折り線である。図２Ｂに示すように、パターン部１１１のパターンは円形である。図２Ｃに示すように、パターン部１１１のパターンは直線であり、かつ帯状引き裂き部１１は２列のパターン部１１１により構成されている。図２Ｄに示すように、パターン部１１１のパターンは折り線である。図２Ｅに示すように、パターン部１１１のパターンは半円孤である。図２Ｆに示すように、パターン部１１１のパターンは横線である。
【００２４】
同様に、第２の実施例の断面図は図１Ｂないし図１Ｇに示す通りであってよく、また、図１Ｈ及び図１Ｉに示すように、離型層１０１ａや円筒体２０をさらに備えてもよい。
（第３の実施例）
【００２５】
図３Ａないし図３Ｄは、本考案に係る引き剥がし易いテープの第３の実施例の構造を模式的に示した図である。図３Ａは上面図であり、図３Ｂないし図３Ｄは、図３Ａのその他の各種の態様である。
【００２６】
図３Ａないし図３Ｄに示すように、本考案に係る引き剥がし易いテープは、テープ体１０と、テープ体１０の長手方向に沿ってテープ体１０に設けられた帯状引き裂き部１１とを備え、当該帯状引き裂き部１１はテープ体１０の二つの長辺以外の箇所に設けられ、かつテープ体１０の略中間位置に設けられている。帯状引き裂き部１１は少なくとも連続するパターン部１１１により構成されている。
【００２７】
図３Ａに示すように、パターン部１１１のパターンは直線である。図３Ｂに示すように、パターン部１１１のパターンは鋸歯形である。図３Ｃに示すように、パターン部１１１のパターンは半円弧である。図３Ｄに示すように、パターン部１１１のパターンは波線であるようにしてもよい。
【００２８】
ここで、第１の実施例及び第２の実施例では連続しないパターン部１１１であるのに対し、第３の実施例では連続するパターン部１１１であるため、当該パターン部１１１は、図１Ｃ、１Ｄ、１Ｅ及び１Ｇに示すようにテープ体１０を貫通していない。
【００２９】
同様に、図１Ｈ及び図１Ｉに示すように、第３の実施例の断面図は、離型層１０１ａや円筒体２０をさらに備えてもよい。
【００３０】
帯状引き裂き部１１自体の脆い構造と基材１０１の延伸ポリプロピレンフィルム又はポリエステルフィルムの材質特性とによって、帯状引き裂き部１１のいかなる箇所に対しても、指又は携帯している鋭利でない物により力を加えるだけで、引き剥がし易いテープをパターン部１１１より外部へ引き裂いて切断することができるため、いかなる道具やツール（例えば鋏やナイフ）を使う必要性も生じない。
【００３１】
第１、第２、及び第３の実施例の引き剥がし易いテープにより物品を固定しようとする場合には、巻かれた引き剥がし易いテープを切断端から剥がし所定の長さまで引き上げてから、帯状引き裂き部１１に対して力を加えることにより、引き剥がし易いテープを切断し、固定したい箇所に貼り付ける。同様に、固定を解除しようとする場合には、帯状引き裂き部１１に対して力を加えることにより引き剥がし易いテープを切断し、その固定効果を解除することができる。かつ帯状引き裂き部１１はテープ体の二つの長辺以外に設けられているため、予期せぬ外力の付加により損傷又は破断することはない。よって、引き剥がし易いテープにより固定された物品は移動又は搬送の過程においても安全に固着され、物品の歩留まりが向上する。
（第４の実施例）
【００３２】
図４Ａないし図４Ｃは、本考案に係る引き剥がし易いテープの第４の実施例の構造を模式的に示した図である。図４Ａは上面図であり、図４Ｂ及び図４Ｃは図４Ａのその他の各種の態様である。
【００３３】
図４Ａないし図４Ｃに示すように、本考案に係る引き剥がし易いテープは、テープ体１０と、当該テープ体１０の長手方向に沿ってテープ体１０に設けられた帯状引き裂き部１１とを備え、当該帯状引き裂き部１１はテープ体１０の少なくとも一方の長辺に設けられ、帯状引き裂き部１１は連続するパターン部１１１により構成されている。
【００３４】
図４Ａに示すように、帯状引き裂き部１１はテープ体１０の２つの長辺に設けられ、パターン部１１１のパターンは鋸歯形である。図４Ｂに示すように、帯状引き裂き部１１はテープ体１０の２つの長辺に設けられ、パターン部１１１のパターンは半円弧である。図４Ｃに示すように、帯状引き裂き部１１はテープ体１０の一方の長辺に設けられ、パターン部１１１のパターンは鋸歯形である。
【００３５】
同様に、第４の実施例の断面図は、図１Ｂないし図１Ｇに示す通りであってよく、また、図１Ｈ及び図１Ｉに示すように、離型層１０１ａや円筒体２０をさらに備えてもよい。
【００３６】
帯状引き裂き部１１自体の脆い構造と基材１０１の延伸ポリプロピレンフィルム又はポリエステルフィルムの材質特性とによって、帯状引き裂き部１１のいかなる箇所に対しても、指又は携帯している鋭利でない物により力を加えるだけで、引き剥がし易いテープをパターン部１１１より引き裂いて切断することができるため、いかなる道具やツール（例えば鋏やナイフ）を使う必要性も生じない。
【００３７】
第４の実施例の引き剥がし易いテープにより物品を固定しようとする場合には、巻かれた引き剥がし易いテープを切断端から剥がし所定の長さまで引き上げてから、帯状引き裂き部１１に対して力を加えることにより、引き剥がし易いテープを切断し、固定したい箇所に貼り付ける。同様に、固定を解除しようとする場合には、帯状引き裂き部１１に対して力を加えることにより引き剥がし易いテープを切断し、その固定効果を解除することができるため、使用者にとっては非常に便利である。
【００３８】
ここで注意すべき点は、パターン部のパターンは、上記実施例のパターンに限定されず、様々なパターンの組み合わせであってもよく、直線、横線、折り線、波線、鋸歯線、半円弧、円形、三角形、矩形、菱形、及びその他の不規則パターンからなる群の何れか一つから選択されてなるものであってもよい。
【００３９】
上述のように、本考案に係る引き剥がし易いテープは、材質が延伸ポリプロピレンフィルム（ＯＰＰ）又はポリエステルフィルム（ＰＥＴ）からなり、帯状引き裂き部の設計構造と組み合わせて用いることで、引き剥がし易いテープを別の道具を別途に使用することなく指のみで簡単に切断することが可能であるため、テープの使用者に大きな利便性を提供するとともに、テープによる物品の固定やテープによる固定効果の解除に必要な時間を効果的に節約することができる。
【００４０】
上記のように、これらの実施の形態は本考案を例示する目的で示すものにすぎず、本考案は、これらによって何ら限定されるものではない。本考案に係る実質的な技術内容は、下記の実用新案登録請求の範囲に定義される。本考案はこの技術分野に精通した者が本考案の主旨を逸脱しない範囲で色々な修飾や変更が可能であり、そうした修飾や変更は本考案の請求の範囲に入るものである。
【符号の説明】
【００４１】
１０  テープ体
２０  円筒体
１０１  基材
１０２  接着層
１１  帯状引き裂き部
１０１ａ  離型層
１１１  パターン部
ＡＡ  切断線
【図１Ａ】
0003155872.tif 000003
【図１Ｂ】
0003155872.tif 000004
【図１Ｃ】
0003155872.tif 000005
【図１Ｄ】
0003155872.tif 000006
【図１Ｅ】
0003155872.tif 000007
【図１Ｆ】
0003155872.tif 000008
【図１Ｇ】
0003155872.tif 000009
【図１Ｈ】
0003155872.tif 000010
【図１Ｉ】
0003155872.tif 000011
【図２Ａ】
0003155872.tif 000012
【図２Ｂ】
0003155872.tif 000013
【図２Ｃ】
0003155872.tif 000014
【図２Ｄ】
0003155872.tif 000015
【図２Ｅ】
0003155872.tif 000016
【図２Ｆ】
0003155872.tif 000017
【図３Ａ】
0003155872.tif 000018
【図３Ｂ】
0003155872.tif 000019
【図３Ｃ】
0003155872.tif 000020
【図３Ｄ】
0003155872.tif 000021
【図４Ａ】
0003155872.tif 000022
【図４Ｂ】
0003155872.tif 000023
【図４Ｃ】
0003155872.tif 000024